(57)【要約】【課題】  有料コンテンツを視聴中に２画面表示を行うと、画面切換やチャンネル切換等の操作により、有料コンテンツの映像／音声出力が中断され、全視聴できなくなる場合がある。【解決手段】利用者が第１の受信手段を用いて受信した第１のコンテンツを視聴中に、操作入力手段を用いて２画面表示を指示した場合、制御部は、コンテンツ識別手段を用いて該第１のコンテンツが有料コンテンツであるか否かを判断し、有料コンテンツの場合は、常に該主画面上に該第１のコンテンツが表示され、かつ該第１のコンテンツの音声が常にスピーカから出力されるように設定する。また、第２の受信手段を用いて受信した第２のコンテンツを副画面に表示する。主画面から副画面へ操作対象を移しても、スピーカーから該第１のコンテンツの音声を出力し、副画面には強制的に該第２のコンテンツの字幕を表示する。【選択図】  図５
2009027661.tif 000002
【特許請求の範囲】
【請求項１】
２つのコンテンツを任意に合成して表示する２画面生成手段と、字幕を表示する字幕表示手段を搭載した映像表示装置であって、
第１のコンテンツを受信する第１の受信手段と、
前記第１のコンテンツとは異なる第２のコンテンツと該コンテンツの字幕情報を受信する第２の受信手段と、
前記第１のコンテンツや前記第２のコンテンツが有料コンテンツであるか否かを判断するコンテンツ識別手段と、
前記第１のコンテンツや第２のコンテンツの映像を内蔵あるいは外付けのモニタに表示する映像出力手段と、
前記第１のコンテンツや第２のコンテンツの映像を内蔵あるいは外付けのスピーカに出力する音声出力手段と、
利用者が前記映像表示装置を操作するために使用する操作入力手段と、
前記の各手段の動作を統括して制御する制御手段と、を備え、
前記第１の受信手段を用いて受信した第１のコンテンツを再生中に、利用者が前記操作入力手段を用いて２画面表示を指示した場合、
前記制御部は、前記第１のコンテンツを第１の画面（主画面）に表示し、前記第２の受信手段を用いて受信した第２のコンテンツを第２の画面（副画面）に表示し、
前記制御部は、前記コンテンツ識別手段を用いて前記第１のコンテンツが有料コンテンツであるか否かを判断し、
前記第１のコンテンツが有料コンテンツであれば、２画面表示が解除されるまでは、前記映像出力手段を用いて常に前記第１のコンテンツの映像を前記第１の画面に表示し、前記音声出力手段を用いて常に前記第１のコンテンツの音声がスピーカーに出力することを特徴とする映像表示装置。
【請求項２】
請求項１に記載の映像表示装置において、
利用者が前記操作入力手段を用いて、操作対象を第１の画面から第２の画面へ切り換えた場合、前記制御部は、自動的に前記第２のコンテンツの字幕表示を行い、前記第２のコンテンツの音声を前記スピーカーから出力しないことを特徴とする映像表示装置。
【請求項３】
請求項１または請求項２に記載の映像表示装置において、
利用者が前記操作入力手段を用いて、前記第１のコンテンツとは別のコンテンツを第１の画面に表示することを指示した場合、コンテンツの切り換えができない旨を利用者に対して通知する手段を備えたことを特徴とする映像表示装置。
【請求項４】
請求項１から請求項３のいずれか一項に記載の映像表示装置において、
前記制御部は、有料コンテンツ以外のコンテンツを取得する手段を備え、
利用者が前記操作入力手段を用いて、前記第２のコンテンツとは別のコンテンツを第２の画面に表示することを指示した場合、
前記第２のコンテンツとは別の有料コンテンツ以外のコンテンツを第２の画面に表示することを特徴とする映像表示装置。
【請求項５】
２つのコンテンツを任意に合成して表示する２画面生成手段と、字幕を表示する字幕表示手段を搭載した映像表示装置であって、
第１のコンテンツを受信する第１の受信手段と、
前記第１のコンテンツとは異なる第２のコンテンツと該コンテンツの字幕情報を受信する第２の受信手段と、
前記第１のコンテンツや前記第２のコンテンツが有料コンテンツであるか否かを判断するコンテンツ識別手段と、
前記第１のコンテンツや第２のコンテンツの映像を内蔵あるいは外付けのモニタに表示する映像出力手段と、
前記第１のコンテンツや第２のコンテンツの映像を内蔵あるいは外付けのスピーカーに出力する音声出力手段と、
利用者が前記映像表示装置を操作するために使用する操作入力手段と、
前記の各手段の動作を統括して制御する制御手段と、を備え、
前記第１の受信手段を用いて受信した第１のコンテンツを再生中に、利用者が前記操作入力手段を用いて２画面表示を指示した場合、
前記制御部は、前記第１のコンテンツを第１の画面（主画面）に表示するものとし、前記第２の受信手段を用いて受信した第２のコンテンツを第２の画面（副画面）に表示するものとし、
さらに、前記制御部は、前記コンテンツ識別手段を用いて前記第１のコンテンツが有料コンテンツであるか否かを判断し、
前記第１のコンテンツが有料コンテンツであれば、
前記第１のコンテンツの映像とは別のコンテンツの映像を前記第１の画面に表示する場合、あるいは前記第１のコンテンツの音声は別のコンテンツの音声を前記スピーカーに出力する場合は、前記第１のコンテンツの再生を停止することを特徴とする映像表示装置。
【請求項６】
請求項５に記載の映像表示装置において、
前記制御部は、前記第１のコンテンツの再生を停止した状態で、前記第１のコンテンツの映像を再度前記第１の画面に表示し、かつ前記第１のコンテンツの音声を再度前記スピーカーに出力可能な状態になると前記第１のコンテンツの再生を再開することを特徴とする映像表示装置。
【発明の詳細な説明】
【技術分野】
【０００１】
本発明は、２つのコンテンツを任意に合成して表示する２画面機能と、字幕を表示する字幕表示機能を搭載した映像表示装置に関する。
【背景技術】
【０００２】
従来の２画面機能を搭載した映像表示装置では、任意の二つのコンテンツを主画面、副画面にそれぞれ表示し、一方の音声をテレビのスピーカーから再生し、他方の音声をイヤホン端子から再生するものが知られている。（特許文献１参照）
また、主画面と副画面のそれぞれに対する字幕表示の設定が可能なテレビにおいては、主画面は該設定に基づき字幕の表示制御を行い、副画面は必ず字幕を設定するような制御方法も考えられている（特許文献２参照）。
【特許文献１】特開２００２−３１４８９６号公報
【特許文献２】特開２００６−１４００４号公報
【０００３】
従来の２画面機能の一例を図１０、図１１を用いて説明する。
通常のコンテンツ視聴（画面１００１）している際に、利用者がリモコン１１００の「２画面」釦１１０１を指示すると、画面１０１０が表示される。画面１０１０は、今まで視聴していたコンテンツを主画面として左画面１０１１に表示し、副画面として主画面とは別のコンテンツを右画面１０１２に表示する。また、主画面、副画面のどちらの音声を出力しているかを示す音声マーク１０１３を表示し、一般的に２画面の起動時は主画面の音声を出力するため、主画面１０１１上に表示する。音声マーク１０１３は、利用者が現在主画面、副画面のどちらを操作できるかの表示も兼ねている。
【０００４】
ここで、利用者がリモコン１１００の「→」釦１１０３を指示すると、操作対象が主画面から副画面に切り換り、画面１０２０に示す通り、音声マーク１０１３が副画面１０１２上に移動し、副画面の音声が出力される。
【０００５】
主画面が操作対象である画面１０１０を表示している際に、利用者がリモコン１１００のチャンネル切換釦１１０４、１１０５を指示すると、主画面１０１１上に今まで視聴していたコンテンツから選局した別のコンテンツが表示される。同様に、副画面が操作対象である画面１０２０を表示している際は、副画面１０１２のコンテンツが選局した別のコンテンツが表示される。
一方、近年、デジタル放送やインターネットの普及により、ＰＰＶ（ペイ・パー・ビュー）やＶＯＤ（ビデオ・オン・デマンド）などの有料サービスや、再生回数や再生期限に制限のあるコンテンツ配信などが実現されつつある。
【発明の開示】
【発明が解決しようとする課題】
【０００６】
しかしながら、従来の技術でＰＰＶやＶＯＤなどの有料コンテンツを視聴中に２画面表示を行う場合、利用者がリモコンを用いて画面切換やチャンネル切換を行うと、スピーカーから出力している音声が視聴中のコンテンツから副画面のコンテンツに切り替わってしまう、あるいは画面に別のコンテンツの映像が表示されるなどの問題が発生する。これにより、利用者は、せっかく購入したコンテンツを全て視聴することができなくなる。
【０００７】
本発明の目的は、有料コンテンツを視聴中でも安全に２画面表示を行うことができる機能を備えた映像表示装置を提供することにある。
【課題を解決するための手段】
【０００８】
上記課題を解決するために、本発明では、以下の手段を設ける。
第１のコンテンツを受信する第１の受信手段
前記第１のコンテンツとは異なる第２のコンテンツおよび該コンテンツの字幕情報を受信する第２の受信手段
前記第１のコンテンツや第２のコンテンツが有料コンテンツであるか否かを判断するコンテンツ識別手段
前記第１のコンテンツや第２のコンテンツの映像をモニタに表示する映像出力手段
前記第１のコンテンツや第２のコンテンツの映像をスピーカに出力する音声出力手段
前記第１のコンテンツと第２のコンテンツを同じモニタ上の主画面および副画面に表示するための画面を生成する画面生成部
利用者が操作入力を実行するための操作入力手段
前記1)〜7)の動作を制御する制御部
利用者が前記第１の受信手段を用いて受信した第１のコンテンツを視聴中に、前記操作入力手段を用いて２画面表示を指示した場合、前記制御部は、前記コンテンツ識別手段を用いて該第１のコンテンツが有料コンテンツであるか否かを判断する。
その結果、有料コンテンツの場合は、前記画面生成部を用いて前記第１のコンテンツを主画面上に割り付け、前記映像出力手段を用いて常に該主画面上に該第１のコンテンツが表示されるようにする。同時に、前記音声出力手段を用いて該第１のコンテンツの音声が常にスピーカへ出力されるようにする。
次に、前記第２の受信手段を用いて受信した第２のコンテンツを、前記画面生成部を用いて前記第２のコンテンツを副画面上に割り付け、前記映像出力手段を介して副画面に該第２のコンテンツが表示されるようにする。
【０００９】
２画面表示中に利用者が副画面に対する操作指示を行うと、副画面に表示中の前記第２のコンテンツの音声をスピーカに出力しないで、字幕を表示する。
【発明の効果】
【００１０】
本発明の映像表示装置は、ＰＰＶやＶＯＤなどの有料コンテンツを視聴中に２画面表示を実行した場合でも、該有料コンテンツの映像／音声を中断することなく、他のコンテンツを同時に表示することが可能となる。
【発明を実施するための最良の形態】
【００１１】
以下、本発明の実施形態について図面を用いて説明する。
【実施例１】
【００１２】
図１は本発明を説明するための一実施例であり、複数のＡＶ装置を含むＡＶシステムの構成を示したもので、宅内および宅外のネットワーク環境下での使用を想定している。宅内においては、記録メディア内蔵ＤＴＶ１００、録画装置２００が互いにＥｔｈｅｒｎｅｔ(登録商標)３０によりハブ４０を介してデジタル接続されているものとし、部屋ＡにＤＴＶ１００、部屋Ｂに記録装置２００を設置しているものとする。記録装置２００には、内蔵の記録メディアに記録したコンテンツを再生するためのモニタ２１０をデジタルまたはアナログ接続する。宅外においては、前記ＤＴＶ１００は、同軸ケーブル２０を介してインターネット接続できるものとする。
【００１３】
本実施例では、宅内ではＥｔｈｅｒｎｅｔ(登録商標)３０を使用しているが、ＩＥＥＥ１３９４、無線、ＵＳＢ等のデジタルインタフェースを使用することも可能である。また、インターネット接続に同軸ケーブル２０を使用しているが、電話網、光ケーブル等を使用することも可能であり、ルータ（ゲートウェイ）を介してＤＴＶ１００に接続することも可能である。コンテンツの記録媒体としては、ＨＤＤ、フラッシュメモリ、書き換え可能な光ディスクを使用することが可能である。
【００１４】
ＤＴＶ１００は、アンテナ１０にて受信したデジタル放送番組（ＰＰＶ放送を含む）を視聴することができ、内蔵した記録メディアに該放送番組を蓄積することも可能である。  また、同軸ケーブル２０を介してインターネット経由で配信される番組やＶＯＤでダウンロードした映画などのコンテンツを記録メディアに蓄積して視聴することも可能である。さらに、録画装置２００に蓄積したコンテンツをＥｔｈｅｒｎｅｔ(登録商標)２０経由で受信して視聴することができる。
【００１５】
一方、録画装置２００は、内蔵あるいは着脱可能なＨＤＤを備え、Ｅｔｈｅｒｎｅｔ(登録商標)２０経由で受信したコンテンツを記録することができる。また、部屋ＡにあるＤＴＶ１００に記録したコンテンツをＥｔｈｅｒｎｅｔ(登録商標)２０経由で視聴することができる。
【００１６】
次に、図２を用いて、本発明の特徴を備えたＤＴＶ１００の一構成について説明する。
ＤＴＶ１００は、チューナ部１０１、宅外通信部１０２、宅内通信部１０３、再生処理部１０４、記録処理部１０５、記録メディア１０６、コンテンツ管理部１０７、主画面用字幕制御部１０８、主画面用映像制御部１０９、副画面用字幕制御部１１０、副画面用映像制御部１１１、メッセージ制御部１１２、画面生成部１１３、映像出力制御部１１４、表示部１１５、主画面用音声制御部１１６、副画面用音声制御部１１７、音声出力制御部１１８、スピーカー１１９、イヤホン端子１２０、操作入力部１２１、切換スイッチ（１）〜（４）１２２〜１２５、制御部１２６から構成される。
【００１７】
チューナ部１０１は、デジタル放送あるいはアナログ放送を受信し、所望のチャンネルを選局する部分である。宅外通信部１０２は、ケーブルテレビやインターネット経由で放送形態のコンテンツやＶＯＤなどのダウンロード形態のコンテンツを受信、制御コマンドを送受信する部分であり、必要に応じて課金処理や機器認証処理、コンテンツの暗号／復号処理を行う部分である。
【００１８】
宅内通信部１０３は、Ｅｔｈｅｒｎｅｔ(登録商標)経由で他の部屋に設置したＡＶ機器との間でコンテンツや制御コマンドを送受信する部分であり、必要に応じて機器認証処理、コンテンツの暗号／復号処理を行う部分である。
【００１９】
再生処理部１０４は、記録メディア１０６に記録したコンテンツを再生し、該コンテンツの再生制限に基づき再生制御を行う部分である。
【００２０】
記録処理部１０５は、受信した放送コンテンツやインターネット配信コンテンツを記録メディア１０６に記録するための記録制御を行う部分である。
【００２１】
記録メディア１０６は、コンテンツを記録する内蔵メモリであり、内蔵あるいは着脱可能なＨＤＤや光ディスク、メモリカード、そしてこれらを組み合わせたハイブリッド形態などが考えられる。
【００２２】
コンテンツ管理部１０７は、記録メディア１０６に記録したコンテンツに関する情報（例えば、コンテンツ名、記録日時、サイズ、有料／無料、再生制限等）を管理する部分である。
【００２３】
主画面用字幕制御部１０８は、主画面に表示するコンテンツの字幕を表示するか否かを設定し、該設定を保持し、該設定に基き表示制御を行う部分である。
【００２４】
主画面用映像制御部１０９は、前記チューナ部１０１、宅外通信部１０２、宅内通信部１０３、再生処理部１０４から出力されるコンテンツを主画面として表示するコンテンツを選択する部分であり、画面生成部１１３への出力制御も行う。
【００２５】
副画面用字幕制御部１１０は、副画面に表示するコンテンツの字幕を表示するか否かを設定し、該設定を保持し、該設定に基づき表示制御を行う部分である。
【００２６】
副画面用映像制御部１１１は、前記チューナ部１０１、宅外通信部１０２、宅内通信部１０３、再生処理部１０４から出力されるコンテンツを副画面として表示するコンテンツを選択する部分であり、画面生成部１１３への出力制御も行う。
【００２７】
メッセージ制御部１１２は、主画面あるいは副画面上に表示する通知や警告などの各種メッセージを生成あるいは選択し、画面生成部１１３への出力を制御する部分である。
画面生成部１１３は、主画面用映像制御部１０９、副画面用映像制御部１１１の出力を受信して、実際に表示部１１５に出力する映像を生成する部分であり、主画面／副画面の２画面の生成も行う。
【００２８】
映像出力制御部１１４は、画面生成部１１３で生成した映像を表示部１１５へ出力するための制御部分である。表示部１１５は、放送番組や記録メディア１０６に記録されたコンテンツなどを表示する部分である。内蔵ではなく、ＤＴＶ１００に外付けの形態でも可能である。
【００２９】
主画面用音声制御部１１６は、主画面に表示するコンテンツの音声をスピーカー１１９、イヤホン端子１２０のどちらに出力するかを制御する部分である。
【００３０】
副画面用音声制御部１１７は、副画面に表示するコンテンツの音声をスピーカー１１９、イヤホン端子１２０のどちらに出力するかを制御する部分である。
【００３１】
音声出力制御部１１８は、主画面あるいは副画面に表示するコンテンツの音声をスピーカーへ出力するための制御部分である。スピーカー１１９は、主画面あるいは副画面に表示したコンテンツの音声を出力する部分である。イヤホン端子１２０は、外付けのヘッドフォンに対して主画面あるいは副画面に表示したコンテンツの音声を出力する部分である。
操作入力部１２１は、リモコンやタッチパネルなどを利用してユーザがＤＴＶ１００を操作する部分である。
【００３２】
切換スイッチ（１）１２２は、チューナ部１０１、宅外通信部１０２、宅内通信部１０３、再生処理部１０４のそれぞれから受信したコンテンツの中から、主画面用映像制御部１０９、副画面用映像制御部１１１のそれぞれへ入力するコンテンツを選択するための切り換え部分である。
【００３３】
切換スイッチ（２）１２３は、主画面用音声制御部１１６、副画面用音声制御部１１７から出力される音声のどちらかを音声出力制御部１１８へ入力するための切り換え部分である。切換スイッチ（３）１２４は、主画面用音声制御部１１６、副画面用音声制御部１１７から出力される音声のどちらかをイヤホン端子１２０へ出力するための切り換え部分である。
【００３４】
切換スイッチ（４）１２５は、チューナ部１０１、宅外通信部１０２、宅内通信部１０３から受信したコンテンツのいずれかを記録処理部１０５へ入力するための切り換え部分である。制御部１２６は、ＤＴＶ１００における各部の動作を統括的に制御する部分である。
【００３５】
次に、図２に示したＤＴＶ１００が管理する２画面表示に必要な情報の一構成例について図３を用いて説明する。
【００３６】
まず、ＤＴＶ１００の制御部１２６が保持する設定値として、映像出力モード３００、切換モード３１０、字幕モード３２０、ソース種別３３０、音声出力種別３４０がある。
映像出力モード３００は、表示部１１５に表示する画面形態を示し、現在視聴中のコンテンツのみを表示する通常表示３０１、２つのコンテンツを同時に表示する２画面表示３０２のいずれかを選択可能とする。その他に、３つ以上のコンテンツを同時に表示するマルチ表示を含んでも良い。
【００３７】
切換モード３１０は、２画面表示した際の主画面および副画面の制御方法を示し、主画面と副画面間での音声切換や、主画面および副画面に表示するコンテンツの切換が可能な通常制御３１１、音声は常に主画面のものを出力し、主画面に対するコンテンツ切換を禁止する固定制御３１２のいずれかを選択可能とする。
【００３８】
字幕モード３２０は、コンテンツに含まれる字幕を表示するか否かを示し、常に字幕表示を行わない固定値（ＯＦＦ）３２１、コンテンツに字幕情報が含まれている場合は常に字幕表示を行う固定値（ＯＮ）３２２、コンテンツに字幕情報を含まれるか否かで自動的に字幕を表示する自動切換３２３のいずれかを選択することを可能とする。２画面表示する場合、主画面、副画面のそれぞれに字幕モードを設定することを可能とする。また、これらの設定は、利用者がリモコン１１００を用いて設定することを可能とする。
【００３９】
ソース種別３３０は、主画面および副画面に表示するコンテンツの受信元を示し、放送番組を受信するチューナ部３３１、ケーブルテレビやインターネットの配信コンテンツを受信する宅外通信部３３２、宅内の他のＡＶ装置（例えば録画装置２００）で記録したコンテンツを受信する宅内通信部３３３、記録メディア１０６に記録したコンテンツを再生する再生処理部３３４の中から選択することを可能とする。
【００４０】
音声出力種別３４０は、主画面および副画面に表示したコンテンツの音声の出力先を示し、スピーカー３４１、イヤホン３４２のいずれかを選択可能とする。
【００４１】
以上の設定値を使用して、ＤＴＶ１００の制御部１２６は、２画面表示するために必要な情報として、画面設定テーブル３５０、２画面制御テーブル３６０の二つを生成・管理する。
【００４２】
画面設定テーブル３５０は、前記映像出力モード３００の現在の設定値、および前記切換モード３１０の現在の設定値から構成される。２画面制御テーブル３６０は、２画面表示する際の主画面および副画面に関する各種情報を示し、画面種別３６１、音声出力３６２、字幕モード３６３、ソース３６４、コンテンツＩＤ３６５から構成される。
【００４３】
ここで、コンテンツＩＤ３６５は、チューナ部３３１、宅外通信部３３２、宅内通信部３３３、コンテンツ管理部１０７、制御部１２６で保持する各種のコンテンツリスト（電子番組表や録画番組表）の中から個々のコンテンツを一意に識別するための識別子である。
【００４４】
上記で説明した画面設定テーブル３５０、２画面制御テーブル３６０を用いて、ＤＴＶ１００が２画面表示するための手順４００について、図４、図１０、図１１を用いて説明する。
【００４５】
前提として、利用者は、ＤＴＶ１００上で記録メディア１０６に格納したコンテンツを視聴中であり、表示部１１５に通常の視聴画面１００１が表示されていると想定する。また、２画面表示を実行する際に、主画面および副画面のそれぞれに対する字幕モードが設定済みとする。すなわち、２画面制御テーブル３６０内の主画面、副画面の字幕モード３６３が設定されていることを示す（本実施例の場合、両方とも「固定値（ＯＦＦ）」）。
【００４６】
上記の状態で、利用者がリモコン１１００の２画面釦１１０１を選択すると、制御部１２６は操作入力部１２１を介して利用者が２画面表示を指示したことを検出する（ステップ４０１）。制御部１２６は、管理する画面設定テーブル３５０の映像出力モードを「２画面表示３０２」に設定し、２画面制御テーブル３６０内の主画面の音声出力を「スピーカー３４１」に設定する（ステップ４０２）。
【００４７】
その後、現在視聴中のコンテンツを主画面に表示するものとし、２画面制御テーブル２６０内の主画面のソース３６４に「再生処理部３６４」、コンテンツＩＤ３６５に視聴中のコンテンツを一意に識別可能な識別子を設定する。そして、該コンテンツに関する情報を管理する部分（本実施例の場合、コンテンツ管理部１０７）からコンテンツ情報テーブル３７０を取得し、該テーブルの中から主画面コンテンツに関する属性情報を取得する（ステップ４０３）。
【００４８】
次に、該コンテンツが有料コンテンツであるか否かをチェックする（ステップ４０４）。
有料コンテンツの場合は、画面設定テーブル３５０の切換モードを「固定制御３１２」に設定する（ステップ４０５）。それ以外の場合は、画面設定テーブル３５０の切換モードを「通常制御３１１」に設定する（ステップ４０６）。本実施例では、主画面に表示するコンテンツ（コンテンツＩＤが「ＡＡＡ」）が「有料」であるため、画面設定テーブル３５０の切換モードを「固定制御３１２」に設定している
次に、制御部１２６は、副画面に表示するコンテンツを選択する（ステップ４０７）。ここで、前記画面設定テーブル３５０内の切換モードが「通常制御３１１」の場合は、選択するコンテンツに制限はなく、ＤＴＶ１００が表示可能なコンテンツの中から１つを決定する。一方、前記画面設定テーブル３５０内の切換モードが「固定制御３１２」の場合は、選択するコンテンツとして、ＤＴＶ１００が表示可能且つ有料コンテンツ以外のコンテンツの中から１つを決定することが望ましい。
【００４９】
本実施例では、現在視聴中のコンテンツの前に視聴していたデジタル放送番組を表示するものとし、前記２画面制御テーブル３６０内の副画面のソース３６４を「チューナ部１０１」、コンテンツＩＤに該デジタル放送番組の識別子を設定する。その後、２画面制御テーブル３６０内の副画面の音声出力を「イヤホン３４２」に設定する（ステップ４０７）。
【００５０】
次に、制御部１２６は、前記２画面制御テーブル３６０内のソース３６４の設定値を参照し、主画面用映像制御部１０９と主画面用音声制御部１１６への入力を再生処理部１０４、副画面用映像制御部１１１と副画面用音声制御部１１７への入力をチューナ部１０１になるように切換スイッチ（１）１２２を切り換える。そして、画面生成部１１３に対して２画面表示を実行するように指示した後、主画面用映像制御部１０９と副画面用映像制御部１１１に対して画面生成部１１３への映像出力を指示する。最後に、映像出力制御部１１４に表示部１１５への映像出力を指示し、主画面および副画面の映像を２画面表示する（ステップ４０８）。
【００５１】
最後に、制御部１２６は、前記２画面制御テーブル３６０内の音声出力３６２の設定値を参照し、主画面用音声制御部１１６の出力を音声出力制御部１１８へ入力するように切換スイッチ（２）１２３を切り換え、音声出力制御部１１８にスピーカー１１９への出力を指示する。また、副画面用音声制御部１１７の出力をイヤホン端子１２０へ出力するように切換スイッチ（３）１２４を切り換える。これにより、主画面の音声はスピーカー１１９、副画面の音声はイヤホン端子１２０へ出力する（ステップ４０９）。
【００５２】
以上の２画面表示に必要な処理を終了した後、利用者からのリモコン１１００による操作指示待ちに遷移する（ステップ４１０）。
【００５３】
ここで、本実施例では、画面１０３０に示すような２画面構成となる。画面１０３０では主画面に視聴中だった有料のコンテンツ（画面１００１で表示していたコンテンツ）、副画面にステップ４０６で選択した放送番組を表示する。そして、主画面上に音声出力していることを示す音声マーク１０１３と、現在の操作対象を示す操作対象マーク１０３１を表示する。
【００５４】
一方、ステップ４０４で主画面に表示するコンテンツが有料コンテンツでなかった場合は、前述した画面１０１０を表示する。ここで、上記ステップ４０２は、ステップ４０６の直前、あるいはステップ４０３の直後に実施しても良い。また、上記ステップ４０８とステップ４０９は同時に、あるいは逆に実行しても良い。
【００５５】
上記ステップ４０４では、有料コンテンツであるか否かをチェックしたが、その他に再生回数制限や再生期限の有無を代用、あるいは追加のチェック項目とすることも考えられる。
【００５６】
次に、前記の２画面表示した後に、利用者が操作対象を切り換えるための手順５００について、図５、図１０、図１１を用いて説明する。
【００５７】
最初に、画面１０３０に示した２画面表示を行っている際の処理について説明する。
画面１０３０を表示した状態で、利用者がリモコン１１００の「→」釦１１０３を指示すると、制御部１２６は操作入力部１２１を介して利用者が操作対象を主画面から副画面へ切り換える指示を検出する（ステップ５０１）。
【００５８】
制御部１２６は、画面設定テーブル３５０内の切換モードの設定値を参照し、該設定値が「固定制御３１２」であるか否かをチェックする（ステップ５０２）。本説明では、上記設定値が「固定制御３１２」であるため、２画面制御テーブル３６０内の副画面の字幕モード３６３を参照し（ステップ５０３）、その設定値が「固定値（ＯＦＦ）３２１」であるか否かをチェックする（ステップ５０４）。
【００５９】
その結果、上記設定値が「固定値（ＯＦＦ）３２１」の場合は副画面用字幕制御部１１０に対して副画面のコンテンツに含まれる字幕情報を表示するように指示する（ステップ５０５）。一方、上記設定値が「固定値（ＯＦＦ）３２１」以外の場合は、（既に副画面用字幕制御部１１０に対して副画面のコンテンツに含まれる字幕情報を表示するように指示済みのため、）ステップ５０８に遷移する。
【００６０】
その後、制御部１２６は、前記２画面制御テーブル３６０内のソース３６４の設定値を参照し、スイッチ（１）１２２を変更せず、映像出力制御部１１４に表示部１１５への映像出力を指示し、主画面および副画面の映像を２画面表示する（ステップ５０８）。また、前記２画面制御テーブル３６０内の音声出力３６２の設定値を参照し、切換スイッチ（２）１２３を変更せず、音声出力制御部１１８にスピーカー１１９への出力を指示する（ステップ５０９）。
【００６１】
以上の２画面表示に必要な処理を終了した後、利用者からのリモコン１１００による操作指示待ちに遷移する（ステップ５１０）。本説明の手順を実行した結果、表示部１１５へ表示する画面は、画面１０４０に示すような２画面構成となる。画面１０４０では、画面１０３０と同様のコンテンツを主画面および副画面に表示する。また、主画面上に音声出力していることを示す音声マーク１０１３を表示し、副画面上に現在の操作対象を示す操作対象マーク１０３１を表示する。利用者は、該操作対象マーク１０３１が主画面上から副画面上へ移ったことにより、所望の動作結果が得られたことが分かる。
【００６２】
次に、画面１０１０に示した２画面表示を行っている際の処理について説明する。
画面１０１０を表示した状態で、利用者がリモコン１１００の「→」釦１１０３を指示すると、前記ステップ５０１〜ステップ５０２と同様の手順を実行する。
本説明では、画面設定テーブル３５０内の切換モードの設定値が「通常制御３１１」であるため、制御部１２６は、前記２画面制御テーブル３６０内の主画面の音声出力３６３を「イヤホン３４２」に設定し（ステップ５０６）、副画面の音声出力３６３を「スピーカー３４１」に設定する（ステップ５０７）。
【００６３】
そして、制御部１２６は、前記２画面制御テーブル３６０内のソース３６４の設定値を参照し、スイッチ（１）１２２を変更せず、映像出力制御部１１４に表示部１１５への映像出力を指示し、主画面および副画面の映像を２画面表示する（ステップ５０８）。
また、制御部１２６は、前記２画面制御テーブル３６０内の音声出力３６２の設定値を参照し、主画面用音声制御部１１６の出力をイヤホン端子１２０へ出力するように切換スイッチ（３）１２４を切り換え、副画面用音声制御部１１７の出力を音声出力制御部１１８へ入力するように切換スイッチ（２）１２３を切り換え、音声出力制御部１１８にスピーカー１１９への出力を指示する（ステップ５０９）。
【００６４】
以上の２画面表示に必要な処理を終了した後、利用者からのリモコン１１００による操作指示待ちに遷移する（ステップ５１０）。
【００６５】
本説明の手順を実行した結果、表示部１１５へ表示する画面は、画面１０２０に示すような２画面構成となる。画面１０２０では、画面１０１０と同様のコンテンツを主画面および副画面に表示する。また、副画面上に音声出力していることを示す音声マーク１０１３を表示する。利用者は、該音声マーク１０１３が主画面上から副画面上へ移ったことにより、所望の動作結果が得られたことが分かる。ここで、予め画面１０１０の主画面上に現在の操作対象を示す操作対象マーク１０３１を表示しておき、本説明の手順を実行した後、該操作対象マーク１０３１を副画面上に表示しても良い。
【００６６】
以上から、主画面に表示するコンテンツが有料コンテンツの場合は、副画面に操作対象を遷移させても、主画面の（有料コンテンツの）音声が常にスピーカー１１９から出力するようにし、副画面は音声の代わりに字幕を自動的に表示する。これにより、前記有料コンテンツの音声を中断することなく、従来の２画面表示機能を使用することが可能となる。
【００６７】
次に、画面１０２０あるいは画面１０４０を表示中に、利用者が再度操作対象を切り換えるための手順６００について、図６、図１０、図１１を用いて説明する。最初に、画面１０４０を表示している際の処理について説明する。
【００６８】
画面１０４０を表示した状態で、利用者がリモコン１１００の「←」釦１１０２を指示すると、制御部１２６は操作入力部１２１を介して利用者が操作対象を副画面から主画面へ切り換える指示を検出する（ステップ６０１）。
【００６９】
制御部１２６は、画面設定テーブル３５０内の切換モードの設定値を参照し、該設定値が「固定制御３１２」であるか否かをチェックする（ステップ６０２）。本説明では、上記設定値が「固定制御３１２」であるため、２画面制御テーブル３６０内の副画面の字幕モード３６３を参照し（ステップ６０３）、その設定値が「固定値（ＯＦＦ）３２１」であるか否かをチェックする（ステップ６０４）。
【００７０】
その結果、上記設定値が「固定値（ＯＦＦ）３２１」の場合は副画面用字幕制御部１１０に対して副画面のコンテンツに含まれる字幕情報を表示しないように指示する（ステップ６０５）。一方、上記設定値が「固定値（ＯＦＦ）３２１」以外の場合は、（既に副画面用字幕制御部１１０に対して副画面のコンテンツに含まれる字幕情報を表示するように指示済みのため、）ステップ６０８に遷移する。
【００７１】
その後、制御部１２６は、前記２画面制御テーブル３６０内のソース３６４の設定値を参照し、スイッチ（１）１２２を変更せず、映像出力制御部１１４に表示部１１５への映像出力を指示し、主画面および副画面の映像を２画面表示する（ステップ６０８）。また、前記２画面制御テーブル３６０内の音声出力３６２の設定値を参照し、切換スイッチ（２）１２３を変更せず、音声出力制御部１１８にスピーカー１１９への出力を指示する（ステップ６０９）。
【００７２】
以上の２画面表示に必要な処理を終了した後、利用者からのリモコン１１００による操作指示待ちに遷移する（ステップ６１０）。
本説明の手順を実行した結果、表示部１１５へ表示する画面は、画面１０３０となり、主画面上に現在の操作対象を示す操作対象マーク１０３１を表示する。利用者は、該操作対象マーク１０３１が副画面上から主画面上へ移ったことにより、所望の動作結果が得られたことが分かる。
【００７３】
次に、画面１０２０に示した２画面表示を行っている際の処理について説明する。
画面１０２０を表示した状態で、利用者がリモコン１１００の「←」釦１１０２を指示すると、前記ステップ６０１〜ステップ６０２と同様の手順を実行する。本説明では、画面設定テーブル３５０内の切換モードの設定値が「通常制御３１１」であるため、制御部１２６は、前記２画面制御テーブル３６０内の副画面の音声出力３６３を「イヤホン３４２」に設定し（ステップ６０６）、主画面の音声出力３６３を「スピーカー３４１」に設定する（ステップ６０７）。
【００７４】
そして、制御部１２６は、前記２画面制御テーブル３６０内のソース３６４の設定値を参照し、スイッチ（１）１２２を変更せず、映像出力制御部１１４に表示部１１５への映像出力を指示し、主画面および副画面の映像を２画面表示する（ステップ６０８）。
【００７５】
また、制御部１２６は、前記２画面制御テーブル３６０内の音声出力３６２の設定値を参照し、副画面用音声制御部１１７の出力をイヤホン端子１２０へ出力するように切換スイッチ（３）１２４を切り換え、主画面用音声制御部１１６の出力を音声出力制御部１１８へ入力するように切換スイッチ（２）１２３を切り換え、音声出力制御部１１８にスピーカー１１９への出力を指示する（ステップ６０９）。以上の２画面表示に必要な処理を終了した後、利用者からのリモコン１１００による操作指示待ちに遷移する（ステップ６１０）。
【００７６】
本説明の手順を実行した結果、表示部１１５へ表示する画面は、画面１０１０となり、主画面上に音声出力していることを示す音声マーク１０１３を表示する。利用者は、該音声マーク１０１３が主画面上から副画面上へ移ったことにより、所望の動作結果が得られたことが分かる。ここで、予め画面１０２０の副画面上に現在の操作対象を示す操作対象マーク１０３１を表示しておき、本説明の手順を実行した後、該操作対象マーク１０３１を主画面上に表示しても良い。
【００７７】
次に、前記２画面表示するための手順４００や利用者が操作対象を切り換えるための手順６００を実行し、画面１０１０あるいは画面１０３０を表示した後、利用者がチャンネル切換を行うための手順７００について、図７、図１０、図１１を用いて説明する。
【００７８】
画面１０１０あるいは画面１０３０を表示した状態で、利用者がリモコン１１００のチャンネル「↑」釦１１０４（あるいは「↓」釦１１０５）を指示すると、制御部１２６は操作入力部１２１を介して利用者が主画面のコンテンツを別のコンテンツに切り換える指示を検出する（ステップ７０１）。
【００７９】
制御部１２６は、画面設定テーブル３５０内の切換モードの設定値を参照し、該設定値が「固定制御３１２」であるか否かをチェックする（ステップ７０２）。その結果、上記設定値が「固定制御３１２」の場合（画面１０３０を表示している場合）、制御部１２６は、主画面に表示する警告メッセージを選択し、メッセージ制御部１１２に該メッセージ情報を画面生成部１１３へ出力するように指示する（ステップ７０３）。
【００８０】
一方、上記設定値が「通常制御３１１」の場合（画面１０１０を表示している場合）、制御部１２６は、現在主画面上で視聴中のコンテンツとは別のコンテンツを選択し、２画面制御テーブル３６０内の主画面のコンテンツＩＤ３６５や（必要に応じて）ソース３６４の設定値を変更し、新たに選択したコンテンツを再生するように切り換える（ステップ７０４）。
【００８１】
別のコンテンツを選択する方法は様々な手段を使用することができ、限定はしない。例えば、コンテンツ管理部１０７からコンテンツ情報テーブル３７０を取得し、現在主画面上で視聴中のコンテンツの前あるいは後にあるコンテンツを取得する。そして、再生処理部１０４に対して該コンテンツを再生するように指示する方法がある。あるいは、チューナ部１０１や宅外通信部１０２、宅内通信部１０３のいずれかのコンテンツに遷移する方法もある。
【００８２】
その後、制御部１２６は、前記２画面制御テーブル３６０内のソース３６４の設定値を参照し、必要に応じてスイッチ（１）１２２を切り換えることにより主画面用映像制御部１０９への入力を変更し、映像出力制御部１１４に表示部１１５への映像出力を指示し、主画面および副画面の映像を２画面表示する（ステップ７０５）。また、前記２画面制御テーブル３６０内の音声出力３６２の設定値を参照し、切換スイッチ（２）１２３を変更せず、音声出力制御部１１８にスピーカー１１９への出力を指示する（ステップ７０６）。
以上の２画面表示に必要な処理を終了した後、利用者からのリモコン１１００による操作指示待ちに遷移する（ステップ７０７）。
【００８３】
上記ステップ７０３で選択したメッセージの表示例を画面１０５０に示す。
以上から、主画面に表示するコンテンツが有料コンテンツの場合は、主画面が操作対象の場合にチャンネル切換を選択しても、主画面の（有料コンテンツの）映像および音声が常に表示部１１５およびスピーカー１１９から出力する。これにより、前記有料コンテンツの映像および音声を中断することなく、従来の２画面表示機能を使用することが可能となる。
【００８４】
同様に、画面１０２０あるいは画面１０４０（副画面が操作対象となっている）を表示している状態で、利用者がチャンネル切換を行うための手順８００について、図８、図１０、図１１を用いて説明する。
【００８５】
画面１０２０あるいは画面１０４０を表示した状態で、利用者がリモコン１１００のチャンネル「↑」釦１１０４（あるいは「↓」釦１１０５）を指示すると、制御部１２６は操作入力部１２１を介して利用者が副画面のコンテンツを別のコンテンツに切り換える指示を検出する（ステップ８０１）。
制御部１２６は、現在副画面上で視聴中のコンテンツとは別のコンテンツをさまざまな方法を使用して選択する（ステップ８０２）。その後、画面設定テーブル３５０内の切換モードの設定値を参照し、該設定値が「固定制御３１２」であるか否かをチェックする（ステップ８０３）。その結果、上記設定値が「通常制御３１１」の場合（画面１０２０を表示している場合）は、ステップ８０５へ遷移する。
【００８６】
一方、上記設定値が「固定制御３１２」の場合（画面１０４０を表示している場合）は、ステップ８０２に選択したコンテンツが有料コンテンツであるか否かをチェックする（ステップ８０４）。そして、該コンテンツが有料コンテンツの場合のみ、再度別のコンテンツを選択するために、ステップ８０２に処理が戻る。
【００８７】
新たに表示するコンテンツが決定すると、制御部１２６は、チューナ部１０１や宅外通信部１０２、宅内通信部１０３、再生処理部１０４のいずれかに対して該コンテンツを再生するように指示する（ステップ８０５）。その後、制御部１２６は、前記２画面制御テーブル３６０内のソース３６４の設定値を参照し、必要に応じてスイッチ（１）１２２を切り換えることにより副画面用映像制御部１１１への入力を変更し、映像出力制御部１１４に表示部１１５への映像出力を指示し、主画面および副画面の映像を２画面表示する（ステップ８０６）。
【００８８】
また、前記２画面制御テーブル３６０内の音声出力３６２の設定値を参照し、切換スイッチ（２）１２３を変更せず、音声出力制御部１１８にスピーカー１１９への出力を指示する（ステップ８０７）。以上の２画面表示に必要な処理を終了した後、利用者からのリモコン１１００による操作指示待ちに遷移する（ステップ８０８）。画面１０４０を表示した状態でチャンネル切換実行した後に表示する画面例を画面１０６０に示す。
【００８９】
以上から、主画面に表示するコンテンツが有料コンテンツの場合は、副画面が操作対象の場合にチャンネル切換を選択すると、副画面に有料コンテンツ以外の別のコンテンツを選択し、該コンテンツの映像および字幕を表示部１１５から出力する。これにより、前記有料コンテンツの映像および音声を中断することなく、従来の２画面表示機能を使用することが可能となる。
【００９０】
ここで、主画面に表示するコンテンツが有料コンテンツの場合に、操作対象を主画面から副画面へ遷移するための手順５００とは別の手順９００について、図９を用いて説明する。画面１０３０を表示した状態で、利用者がリモコン１１００の「→」釦１１０３を指示すると、制御部１２６は操作入力部１２１を介して利用者が操作対象を主画面から副画面へ切り換える指示を検出する（ステップ９０１）。
【００９１】
制御部１２６は、画面設定テーブル３５０内の切換モードの設定値を参照し、該設定値が「固定制御３１２」であるか否かをチェックする（ステップ９０２）。その結果、上記設定値が「通常制御３１１」の場合はステップ９０３に遷移する。一方、上記設定値が「固定制御３１２」の場合は、主画面に表示している有料コンテンツの再生を一時停止あるいは停止する（ステップ９０３）。
【００９２】
その後、制御部１２６は、２画面制御テーブル３６０の主画面の音声出力を「イヤホン３４２」に設定し、副画面の音声出力を「スピーカー１１９」に設定する（ステップ９０４）。そして、制御部１２６は、前記２画面制御テーブル３６０内のソース３６４の設定値を参照し、スイッチ（１）１２２を変更せず、映像出力制御部１１４に表示部１１５への映像出力を指示し、主画面および副画面の映像を２画面表示する（ステップ９０５）。
【００９３】
また、前記２画面制御テーブル３６０内の音声出力３６２の設定値を参照し、副画面用音声制御部１１７の出力が音声出力制御部１１８へ入力するように切換スイッチ（２）１２３を切り換える。また、副画面用音声制御部１１７の出力がイヤホン端子１２０へ出力するように切換スイッチ（３）１２４を切り換える。そして、音声出力制御部１１８にスピーカー１１９への出力を指示する（ステップ９０６）。以上の２画面表示に必要な処理を終了した後、利用者からのリモコン１１００による操作指示待ちに遷移する（ステップ９０７）。
【００９４】
以上から、主画面に表示するコンテンツが有料コンテンツの場合は、副画面に操作対象を遷移させる際に、主画面の有料コンテンツの再生を一時停止する。そして操作対象を再度主画面へ戻す際に有料コンテンツの再生を再開すれば、前記有料コンテンツの音声を中断することなく、従来の２画面表示機能を使用することが可能となる。
【図面の簡単な説明】
【００９５】
【図１】本発明の実施形態であるシステムの一構成例である。
【図２】本発明の実施形態である記録メディア内蔵ＤＴＶの一ブロック構成例である。
【図３】本発明の実施形態である記録メディア内蔵ＤＴＶが２画面表示するために管理する各種情報の一構成例である。
【図４】本発明の実施形態である記録メディア内蔵ＤＴＶが２画面表示する処理手順を示すシーケンス図である。
【図５】本発明の実施形態である記録メディア内蔵ＤＴＶが２画面表示時に主画面から副画面へ制御を切換る処理手順を示すシーケンス図である。
【図６】本発明の実施形態である記録メディア内蔵ＤＴＶが２画面表示時に副画面から主画面へ制御を切換る処理手順を示すシーケンス図である。
【図７】本発明の実施形態である記録メディア内蔵ＤＴＶが２画面表示時に主画面のチャンネル切換を指示した際の処理手順を示すシーケンス図である。
【図８】本発明の実施形態である記録メディア内蔵ＤＴＶが２画面表示時に副画面のチャンネル切換を指示した際の処理手順を示すシーケンス図である。
【図９】本発明の実施形態である記録メディア内蔵ＤＴＶが２画面表示時に主画面から副画面へ制御を切換る処理手順を示すシーケンス図である。
【図１０】本発明の実施形態である記録メディア内蔵ＤＴＶが表示する各種画面の一構成例である。
【図１１】本発明の実施形態である記録メディア内蔵ＤＴＶを利用者が操作するためのリモコンの一構成例である。
【符号の説明】
【００９６】
１０…アンテナ、２０…同軸ケーブル、３０…Ｅｔｈｅｒｎｅｔ(登録商標)、１００…記録メディア内蔵ＤＴＶ、２００…記録装置、１０１…チューナ部、１０２…宅外通信部、１０３…宅内通信部、１０４…再生処理部、１０６…記録メディア、１０７…コンテンツ管理部、１０８…主画面用字幕制御部、１０９…主画面用映像制御部、１１０…副画面用字幕制御部、１１１…副画面用映像制御部、１１２…メッセージ制御部、１１３…画面生成部、１１４…映像出力制御部、１１５…表示部、１１６…主画面用音声制御部、１１７…副画面用音声制御部、１１８…音声出力制御部、１１９…スピーカー、１２１…操作入力部、１２２〜１２５…切換スイッチ（１）〜（４）、１２６…制御部、３５０…画面設定テーブル、３６０…２画面制御テーブル
【図１】
2009027661.tif 000003
【図２】
2009027661.tif 000004
【図３】
2009027661.tif 000005
【図４】
2009027661.tif 000006
【図５】
2009027661.tif 000007
【図６】
2009027661.tif 000008
【図７】
2009027661.tif 000009
【図８】
2009027661.tif 000010
【図９】
2009027661.tif 000011
【図１０】
2009027661.tif 000012
【図１１】
2009027661.tif 000013